(57)【要約】      （修正有）【課題】大きな共通テーパーすり接手に対応したクランプも安価に製造することができる理化学ガラス器具接手用クランプを提供する。【解決手段】共通テーパーすり接手のオス側基部外周を抱持する円弧状オス側抱持部２１と、メス側先端部外周を抱持する円弧状メス側抱持部３１と、各抱持部の一端側を連結する弾性部材１３と、各抱持部の他端側を係脱可能に連結する締結部材１４とを備え、各抱持部で共通テーパーすり接手を抱持した状態で締結部材を係合させたときに弾性部材が弾性変形し、該弾性部材の復元力で各抱持部が共通テーパーすり接手を締め付けて接合状態を保持する。【選択図】図１
0003163337.tif 000002
【実用新案登録請求の範囲】
【請求項１】
理化学ガラス器具の共通テーパーすり接手の接合状態を保持するためのクランプであって、共通テーパーすり接手のオス側基部外周を両側から抱持する一対の円弧状オス側抱持部と、共通テーパーすり接手のメス側先端部外周を両側から抱持する一対の円弧状メス側抱持部と、各抱持部の両端から接手径方向外側にそれぞれ突出した突出部と、接手軸線方向に隣接する円弧状オス側抱持部の一端側突出部と円弧状メス側抱持部の一端側突出部とをそれぞれ接続する接手軸線方向の一端側接続部と、接手軸線方向に隣接する円弧状オス側抱持部の他端側突出部と円弧状メス側抱持部の他端側突出部とをそれぞれ接続する接手軸線方向の他端側接続部とを金属線材を加工して連続的に形成した円弧状部材と、前記一端側接続部同士を回動可能に連結する弾性部材と、他端側接続部同士を係脱可能に連結する締結部材とを備え、各抱持部で共通テーパーすり接手を抱持した状態で前記締結部材により他端側接続部同士を連結したときに前記弾性部材が弾性変形し、該弾性部材の復元力により各抱持部が共通テーパーすり接手を抱持して共通テーパーすり接手の接合状態を保持することを特徴とする理化学ガラス器具接手用クランプ。
【考案の詳細な説明】
【技術分野】
【０００１】
本考案は、理化学ガラス器具の共通テーパーすり接手を接合状態に保持するための理化学ガラス器具接手用クランプに関する。
【背景技術】
【０００２】
一般に、各種理化学ガラス器具、例えば、フラスコやトラップ管、ガラス管、ガラス容器などの接合部分には、日本工業規格で規定された共通テーパーすり接手（ＪＩＳ  Ｒ  ３６４６「化学分析用ガラス器具の共通テーパーすり接手」）が用いられており、実験用ガラス装置の組み立てや組み替えを容易に行えるようにしている（例えば、特許文献１，２参照。）。共通テーパーすり接手には、長形、中形、短形の３種類があり、それぞれに大径寸法、小径寸法、長さがことなるものが規定されており、例えば、長形では大径寸法が５．０ｍｍから１００．０ｍｍの範囲のものがあり、大径寸法が３４．５ｍｍ、小径寸法が３０．０ｍｍ、長さが４５ｍｍのものはＴＳ３４／４５という記号が付けられている。
【先行技術文献】
【特許文献】
【０００３】
【特許文献１】実用新案登録第３０１５０３２号公報
【特許文献２】特許第２６４８９８２号公報
【考案の概要】
【考案が解決しようとする課題】
【０００４】
通常使用する共通テーパーすり接手のサイズ、例えば、前記ＴＳ３４／４５以下のサイズは、実験用として一般に多用されているので、脱落を防止するための各種形状のクランプが市販されている。しかし、大径寸法が４０．０ｍｍ以上の共通テーパーすり接手に対応したクランプは、構造が複雑であったり、高価であったり、取り扱い性に難点があったりするなど、市販製品で適当なものが存在していないのが実情である。
【０００５】
そこで本考案は、簡単な構造で、大径寸法が４０．０ｍｍ以上の大きな共通テーパーすり接手に対応したクランプも安価に製造することができ、取り扱い性にも優れた理化学ガラス器具接手用クランプを提供することを目的としている。
【課題を解決するための手段】
【０００６】
上記目的を達成するため、本考案の理化学ガラス器具接手用クランプは、理化学ガラス器具の共通テーパーすり接手の接合状態を保持するためのクランプであって、共通テーパーすり接手のオス側基部外周を両側から抱持する一対の円弧状オス側抱持部と、共通テーパーすり接手のメス側先端部外周を両側から抱持する一対の円弧状メス側抱持部と、各抱持部の両端から接手径方向外側にそれぞれ突出した突出部と、接手軸線方向に隣接する円弧状オス側抱持部の一端側突出部と円弧状メス側抱持部の一端側突出部とをそれぞれ接続する接手軸線方向の一端側接続部と、接手軸線方向に隣接する円弧状オス側抱持部の他端側突出部と円弧状メス側抱持部の他端側突出部とをそれぞれ接続する接手軸線方向の他端側接続部とを金属線材を加工して連続的に形成した円弧状部材と、前記一端側接続部同士を回動可能に連結する弾性部材と、他端側接続部同士を係脱可能に連結する締結部材とを備え、各抱持部で共通テーパーすり接手を抱持した状態で前記締結部材により他端側接続部同士を連結したときに前記弾性部材が弾性変形し、該弾性部材の復元力により各抱持部が共通テーパーすり接手を抱持して共通テーパーすり接手の接合状態を保持することを特徴としている。
【考案の効果】
【０００７】
本考案の理化学ガラス器具接手用クランプによれば、理化学ガラス器具の共通テーパーすり接手のオス、メス接合部に対して、オス側基部外周に円弧状オス側抱持部を、メス側先端部外周に円弧状メス側抱持部をそれぞれ配置し、各抱持部を閉じるようにして締結部材により各抱持部の他端側を連結することにより、弾性部材の復元力で各抱持部で共通テーパーすり接手のオス側とメス側とを抱持して接合状態を保持することができる。また、各抱持部は、金属線材を曲げ加工して形成することができ、弾性部材及び締結部材は、金属板を曲げ加工して形成することができるので、製造コストを低く抑えることができ、大きな共通テーパーすり接手用のクランプも容易に製造することができる。
【図面の簡単な説明】
【０００８】
【図１】本考案の一形態例を示す理化学ガラス器具接手用クランプの斜視図である。
【図２】抱持部を開いた状態を示す理化学ガラス器具接手用クランプの斜視図である。
【図３】理化学ガラス器具接手用クランプの平面図である。
【図４】図３のIV−IV断面図である。
【図５】理化学ガラス器具接手用クランプの使用状態を示す一部断面側面図である。
【考案を実施するための形態】
【０００９】
理化学ガラス器具接手用クランプ１１は、図５に一例を示すように、共通テーパーすり接手５１のオス側５２を有するガラス容器５３と、共通テーパーすり接手５１のメス側５４を有するガラス蓋５５との共通テーパーすり接手５１の接合状態を保持するために使用する。共通テーパーすり接手５１のオス側５２は、その外周面に、先端開口側に対して基部側が拡開したテーパー面（円錐面）５２ａが形成されており、該テーパー面５２ａの基部側外径は、容器口部外径より大きく形成され、テーパー面５２ａの基部にはネック部５２ｂが形成されている。一方、共通テーパーすり接手５１のメス側５４は、その内周面に、基部側に対して先端開口側が拡開したテーパー面（円錐面）５４ａが形成されており、テーパー面５４ａの先端外周には玉縁５４ｂが形成され、玉縁５４ｂの基部側にはリング状段部５４ｃが形成されている。
【００１０】
共通テーパーすり接手５１を接合状態に保持するための理化学ガラス器具接手用クランプ１１は、同一形状を有する一対の円弧状部材１２，１２と、該円弧状部材１２，１２の一端同士を連結する弾性部材１３と、円弧状部材１２，１２の他端同士の間に設けられた締結部材１４とを有している。
【００１１】
円弧状部材１２は、前記オス側５２のネック部５２ｂに係合してオス側基部外周を両側から抱持する円弧状オス側抱持部２１と、メス側５４のリング状段部５４ｃに係合してメス側先端部外周を抱持する円弧状メス側抱持部３１と、各抱持部２１，３１の両端から前記玉縁５４ｂを避けるように接手径方向外側にそれぞれ突出した突出部２２，２３，３２，３３と、接手軸線方向に隣接する円弧状オス側抱持部２１の一端側突出部２２と円弧状メス側抱持部３１の一端側突出部３２とを接続する接手軸線方向の一端側接続部４１と、接手軸線方向に隣接する円弧状オス側抱持部２１の他端側突出部２３と円弧状メス側抱持部３１の他端側突出部３３とを接続する接手軸線方向の他端側接続部４２とを有している。円弧状オス側抱持部２１と円弧状メス側抱持部３１とは平行な状態に形成されおり、円弧状オス側抱持部２１の半径は、円弧状メス側抱持部３１の半径より小さな半径となっている。
【００１２】
円弧状部材１２における円弧状オス側抱持部２１，一端側突出部２２，一端側接続部４１，一端側突出部３２，円弧状メス側抱持部３１，他端側突出部３３，他端側接続部４２，他端側突出部２３は、１本の金属線材、例えば直径３ｍｍのステンレス鋼製線材を曲げ加工して端部を接合することによって連続的に形成されている。また、円弧状部材１２における円弧状オス側抱持部２１及び円弧状メス側抱持部３１は、共に接手軸線上に中心を持つ円弧であり、両者の半径は共通テーパーすり接手５１の外径に基づいて設定され、中心角は１２０〜１６０度の範囲が適当であり、通常は、約１５０度に設定することが望ましい。
【００１３】
弾性部材１３は、薄い金属板をＵ字状又はＶ字状に折り曲げた板バネからなるものであって、弾性部材１３の両端には、両円弧状部材１２の一端側接続部４１を回動可能な状態で嵌着するクリップ部１３ａがそれぞれ設けられている。一対の円弧状部材１２，１２は、一端側接続部４１同士を弾性部材１３で回動可能な状態で連結することにより、弾性部材１３がヒンジとして機能し、円弧状部材１２，１２の他端側が開閉可能な状態となる。
【００１４】
締結部材１４は、金属板を折り曲げ形成したもので、基端には、円弧状部材１２の一方の他端側接続部４２を回動可能な状態で嵌着するヒンジ部１４ａが形成され、先端には、円弧状部材１２の他方の他端側接続部４２に係脱可能に係合する顎状係合部１４ｂが円弧状部材１２の内周側に向かって突出するように形成されるとともに、顎状係合部１４ｂの先端から円弧状部材１２の外周側に向かって突出する操作部１４ｃが形成されている。
【００１５】
また、円弧状部材１２、弾性部材１３及び締結部材１４を含む理化学ガラス器具接手用クランプ１１の周方向長さは、共通テーパーすり接手５１をクランプしない状態で締結部材１４の先端を他方の他端側接続部４２に係合して円弧状部材１２，１２を閉じたときに、共通テーパーすり接手５１の外周寸法より短く設定されている。
【００１６】
このように形成された理化学ガラス器具接手用クランプ１１は、図５に示すように、接合状態にある共通テーパーすり接手５１のオス側５２の基部に形成されたネック部５２ｂを挟み込むように一対の円弧状オス側抱持部２１を配置するとともに、共通テーパーすり接手５１のメス側５４の先端部外周に形成されたリング状段部５４ｃの基部側を挟み込むように一対の円弧状メス側抱持部３１を配置し、両円弧状部材１２の締結部材１４側を閉じるようにして締結部材１４の先端に形成した顎状係合部１４ｂを円弧状部材１２の他方の他端側接続部４２に係合させる。
【００１７】
このとき、理化学ガラス器具接手用クランプ１１の周方向長さが共通テーパーすり接手５１の周方向長さより短く設定されているため、締結部材１４を係合する際に円弧状部材１２が締結部材１４側に引き寄せられ、両円弧状部材１２の一端側接続部４１が離れる方向に移動することにより、弾性部材１３は、両クリップ部１３ａが離れる方向に弾性変形する。このように弾性部材１３が弾性変形することにより、弾性部材１３の弾性復元力で円弧状オス側抱持部２１がネック部５２ｂの外周を抱持するとともに、円弧状メス側抱持部３１が玉縁５４ｂの基部側を抱持することにより、共通テーパーすり接手５１の接合状態が保持される。
【００１８】
このように、一対の円弧状オス側抱持部２１と一対の円弧状メス側抱持部３１とを金属線材で円弧状に形成するとともに、金属板を曲げ加工した弾性部材１３及び締結部材１４を各抱持部に取り付けるだけで理化学ガラス器具接手用クランプ１１を形成することができるので、円弧状オス側抱持部２１及び円弧状メス側抱持部３１の内径を共通テーパーすり接手５１の外径に対応させて設定することにより、各種寸法の共通テーパーすり接手５１に対応した理化学ガラス器具接手用クランプ１１を形成することができる。
【００１９】
また、適当な直径の金属線材と適当な厚さの金属薄板とで形成することができるので、安価に、かつ、容易に製造することができる。さらに、共通テーパーすり接手５１への理化学ガラス器具接手用クランプ１１の着脱は、締結部材１４の係脱のみで行うことができ、締結部材１４の先端に操作部１４ｃを設けることによって取り扱い性を更に向上させることができる。
【００２０】
なお、各抱持部の内径は、共通テーパーすり接手の外径と同一であることが望ましいが、共通テーパーすり接手を抱持可能な内径であればよく、弾性部材には市販のコイルバネを用いることもでき、締結部材として金属線材を曲げ加工したものを用いることもできる。さらに、大きな共通テーパーすり接手の場合は、各抱持部を複数に分割してヒンジなどで結合することにより円弧状部材を形成することもできる。また、本発明の理化学ガラス器具接手用クランプは、共通テーパーすり接手により接合される各種器具に対応することができ、共通テーパーすり接手の部分を除く他の部分の形状は任意である。
【符号の説明】
【００２１】
１１…理化学ガラス器具接手用クランプ、１２…円弧状部材、１３…弾性部材、１３ａ…クリップ部、１４…締結部材、１４ａ…ヒンジ部、１４ｂ…顎状係合部、１４ｃ…操作部、２１…円弧状オス側抱持部、２２，２３…突出部、３１…円弧状メス側抱持部、３２，３３…突出部、４１…一端側接続部、４２…他端側接続部、５１…共通テーパーすり接手、５２…オス側、５２ａ…テーパー面（円錐面）、５２ｂ…ネック部、５３…ガラス容器、５４…メス側、５４ａ…テーパー面（円錐面）、５４ｂ…玉縁、５４ｃ…リング状段部、５５…ガラス蓋
【図１】
0003163337.tif 000003
【図２】
0003163337.tif 000004
【図３】
0003163337.tif 000005
【図４】
0003163337.tif 000006
【図５】
0003163337.tif 000007